(57)【要約】【課題】組付作業が簡単になり、製作コストを低減できる樹脂製ハシゴを提供する。【解決手段】二つの長手部２１と多数の水平部２２とを有するハシゴ枠２を含む。ハシゴ枠２は、正面が閉塞状態であり、背面２３に窪み部が形成されている。多数の横リブ２３２と複数の縦リブ２３３により窪み部が複数のセクション２３４に仕切られている。長手部２１と水平部２２との連接箇所は、コーナー２８である。二つの長手部２１は、一端が頂端２１１であり、他端が支持端２１２である。各長手部２１の両側には側壁２５が設けられており、各水平部２２のユーザの足踏みに供される面は滑止面２６であり、側壁２５または滑止面２６は傾斜した斜面に成形されている。頂端２１１の対向面の間にはヒンジが少なくとも一つ設けられており、二つのハシゴ枠２の間には折畳み部材が設けられている。【選択図】図３
0003136052.tif 000002
【実用新案登録請求の範囲】
【請求項１】
加圧成形により二つの長手部と二つの前記長手部の間に成形されている多数の水平部とを有するハシゴ枠を含み、
前記ハシゴ枠は正面が閉塞状態であり、背面に窪み部が形成され、二つの前記長手部の両側には側壁が設けられており、二つの前記長手部は一端が頂端であり、他端が床面または支持物に押し付ける支持端であり、各前記水平部はユーザの足踏みに供される面であり、前記側壁または滑止面は斜面に成形されていることを特徴とする樹脂製ハシゴ。
【請求項２】
前記ハシゴ枠を二つ有し、二つのハシゴ枠は対向しており、ハシゴ枠の頂端の対向面の間には二つのハシゴ枠を連結し開閉するための部材が設けられていることを特徴とする請求項１に記載の樹脂製ハシゴ。
【請求項３】
前記窪み部は多数の横リブと縦リブにより仕切られた複数のセクションであることを特徴とする請求項１または２に記載の樹脂製ハシゴ。
【請求項４】
前記窪み部には構造を補強できる部材を追加できることを特徴とする請求項１または２に記載の樹脂製ハシゴ。
【請求項５】
前記各水平部のユーザの足踏みに供される面は滑止機能を有する滑止面であることを特徴とする請求項１または２に記載の樹脂製ハシゴ。
【請求項６】
前記各支持端には床面と接触する部材を有することを特徴とする請求項２に記載の樹脂製ハシゴ。
【考案の詳細な説明】
【技術分野】
【０００１】
本考案は、成形技術で製作された樹脂製ハシゴに関する。
【背景技術】
【０００２】
従来のハシゴの構造を図１３に示す。ハシゴ９は二つのハシゴ枠９２の頂端がヒンジ９１により連結され、一組の折畳み具９３により二つのハシゴ枠９２の展開可能な最大角度が拘束される。
【０００３】
しかしながら、従来のハシゴ９には次のような欠点がある。
第一に、リベット９６または他の結合子により長手方向の二つのロッド９４に多数の横方向の踏みロッド９５を結合しているので、アルミを押出成形したハシゴ枠９２は、組付プロセスが極めて複雑となる点である。
第二に、アルミは低比重の金属ではあるが、ユーザはやはりハシゴ９の運搬を重いと感じる点である。
第三に、アルミは金属材であるため、感電の危険性がある点である。
本考案は、上述の問題を解決することを目的とする。
【考案の開示】
【考案が解決しようとする課題】
【０００４】
本考案が解決しようとする課題は、組付作業が簡単になり、製作コストを低減できる樹脂製ハシゴを提供することにある。
【課題を解決するための手段】
【０００５】
上記目的を達成するため、本考案の樹脂製ハシゴは、加圧成形により二つの長手部と二つの前記長手部の間に成形されている多数の水平部とを有するハシゴ枠を含み、
前記ハシゴ枠は正面が閉塞状態であり、背面に窪み部が形成され、
二つの前記長手部の両側には側壁が設けられており、
二つの前記長手部は一端が頂端であり、他端が床面または支持物に押し付ける支持端であり、
各前記水平部はユーザの足踏みに供される面であり、
前記側壁または滑止面はある角度に傾斜した斜面に成形されている。
（考案の効果）
【０００６】
本考案の樹脂製ハシゴには、次のような効果がある。
第一に、本考案の樹脂製ハシゴは、繊維強化樹脂（ＦＲＰ，Fiber Reinforced Plastic）が加圧成形されたものであるため、リベットや他の結合子により組付ける必要がなく、組付作業が簡単になり、製作コストを低減できる。
第二に、本考案の樹脂製ハシゴは、アルミ製ハシゴよりも軽くすることができる。
第三に、本考案の樹脂製ハシゴは、導電性がないので、感電の危険性をなくすことができる。
【考案を実施するための最良の形態】
【０００７】
以下、本考案の実施例を図面に基づいて説明する。
（第１実施例）
本考案の第１実施例を図１から図４に示す。
第１実施例の樹脂製ハシゴは、加圧成形（Sheet Molding Compound）技術を採用し、材料準備と、モルド充填と、凝固と、離型と、冷却などの工程を経てハシゴ枠を製作する。材料準備工程は、樹脂と充填材などが混合されて可塑性材１１になり、前記可塑性材１１の周面はＰＥフィルムにより保護される。
【０００８】
第１実施例のモルド充填工程は次のとおりである。下半モルド１３内にはＰＥフィルムが除去された可塑性材１１が設置してあり、上半モルド１４が上から下へ加圧する。接触時間が相違し、加圧過熱モルドと前記可塑性材１１との総熱伝達が相違しているので、前記可塑性材１１をモルド１３、モルド１４の内部に流動して凝固した後、離型して冷却し、ハシゴ枠が完成する。
【０００９】
第１実施例の樹脂製ハシゴは、ハシゴ枠２が二つの長手部２１と前記二つの長手部２１の間に成形される多数の水平部２２を有する。ハシゴ枠２は正面２４が閉塞状態であり、背面２３に窪み部が形成されている。
また、各長手部２１の両側には側壁２５が設けられており、各水平部２２のユーザの足踏みに供される面は滑止面２６になり、滑止面２６の反対面が底面２７である。
前記滑止面は、模様を付けて形成されてもよく、又は突起を付けて形成されてもよく、あるいは窪みを付けて形成されてもよい。このように形成することにより、足踏みのときの摩擦係数が増加し、不意の転落を防止することができる。
【００１０】
二つの長手部２１の一端を前記水平部２２と連接したフレーム形状を呈する前記ハシゴ枠２の頂端２１１の反対端は、前記ハシゴ枠２の支持端２１２である。また、隣接している二つの水平部２２は距離２２１を置いており、前記距離２２１は一定であることが望ましい。
長手部２１および水平部２２の正面２４の幅は背面２３よりも小さく、各長手部２１と水平部２２との連接箇所は円弧形のコーナー２８であり、各コーナー２８の正面２４の半径は背面２３よりも大きい。また、各水平部２２の中央部には正面２４に延びた拡幅部２２２が設けられており、拡幅部２２２により水平部２２の幅が増加し、足踏みの面積が増加する。
【００１１】
ハシゴ枠２の背面２３には窪み部２３１が設けられており、二つの長手部２１の背面の窪み部２３１には横リブ２３２が多数設けられており、各水平部２２には横リブ２３２と交錯する縦リブ２３３が複数設けられており、これにより、窪み部２３１が各横リブ２３２と縦リブ２３３とによって複数のセクション２３４に仕切られ、ハシゴ枠２の構造強度が向上する。
【００１２】
水平部２２の構成を図５に示す。図中の水平な線と滑止面２６との開角はａであり、底面２７と水平な線との開角はｂであり、角度ａが角度ｂよりも大きいのが望ましく、これにより、水平部２２の正面２４の幅が背面２３よりも小さくなる。また、水平部２２の交錯状の横リブ２３２を有する窪み部２３１の内壁と水平な線との開角はｃである。
長手部２１の構成を図６に示す。長手部２１の二つの側壁２５と垂直な線との開角はｄであり、窪み部２３１の内壁と垂直な線との開角はｅであり、角度ｄが角度ｅと同様であることが望ましい。
【００１３】
（第２実施例）
本考案の第２実施例を図７ａ、図７ｂ、図７ｃ及び図８に示す。二つのハシゴ枠３は背面３３が互いに対向しており、縦リブ２３３には螺着構成を有する連接具２３５が設けられており、連接具２３５にはヒンジ４が設けられており、ヒンジ４により各ハシゴ枠３を折畳んだときに、二つの頂端３１１が傾斜状を呈し、且つ各ハシゴ枠３を展開したときに、二つの頂端３１１が一つの平面になる。
【００１４】
コーナー３８の構造を強化するために、各長手部３１と水平部３２との連接箇所には斜めリブ４１を少なくとも一つ設けてもよい。また、二つのハシゴ枠３の長手部３１の側壁３５に折畳み部材（図示せず）を設けることにより、ハシゴ１００を展開したり、折畳んだりすることが可能である。
各長手部３１の支持端３１２には床面接触部４２が枢着しており、これにより、ハシゴ１００は展開状態にあっても、折畳んだ状態にあっても、床面接触部４２が床面または支持物と良く接触する。また、ハシゴ１００を展開したときには、各水平部３２の滑止面３６がほぼ水平状態になり、ユーザはハシゴ１００を容易に登ることができる。また、ハシゴ１００を折畳んだときには、各水平部３２の滑止面３６が傾斜状態になる。
【００１５】
（第３実施例）
本考案の第３実施例を図９に示す。第３実施例では第２実施例とは異なり、各支持端３１２は底スリーブ４３を有し、底スリーブ４３の底面４３１は傾斜状態である。ハシゴ１００を展開したときには、各底スリーブ４３が床面または支持物と良く接触するので、ユーザがハシゴ１００を登っている際に、ハシゴ１００は揺れなくなる。
【００１６】
（第４実施例）
本考案の第４実施例を図１０に示す。二つのハシゴ枠６の背面６３が互いに対向しており、各長手部６１の頂端６１１には水平部６２が設けられており、二つの水平部６２の対向面６１２には互いに交錯している軸連接部６１３が多数設けられており、各軸連接部６１３に短いロッド６１４を貫入すると、ハシゴ１００を展開したり、折畳んだりすることが可能である。
【００１７】
（第５実施例）
本考案の第５実施例を図１１に示す。二つのハシゴ枠３の背面３３は互いに対向し、パネル７を構成する二つのプレート７１の対向面７２には球状関節７３が設けられており、これにより、ハシゴ１００を展開したり、折畳んだりすることが可能である。パネル７の上面には滑止構成が設けられている。
また、各ハシゴ枠３の背面３３のコーナー３８には補強具７５が連結し、補強具７５は一端が長手部３１と連接しており、他端が水平部３２と連接しており、これにより、各ハシゴ枠３の構造強度が向上し、ひいてはハシゴ１００の構造強度も向上する。
【００１８】
（第６実施例）
本考案の第６実施例を図１２に示す。二つのハシゴ枠３の背面は互いに対向し、各プレート８１の両側にはハシゴ枠３に固定された連結部８４が設けられており、二つのプレート８１の対向面８２にはヒンジ８３が多数設けられており、これにより、ハシゴ１００を展開したり、折畳んだりすることが可能である。パネル８の上面には滑止構成が設けられている。
このように、本考案を、特定の例により説明したが、これらの例は説明のためだけのものであり、本考案を限定するものではなく、この分野に通常の知識を有する者は、本考案の精神および範囲を逸脱することなく、ここで開示された実施例に変更、追加または削除を施してもよい。
【図面の簡単な説明】
【００１９】
【図１】本考案の第１実施例、第２実施例、第３実施例、第４実施例、第５実施例及び第６実施例による樹脂製ハシゴの加圧成形モルドの加工ステップを示す模式図である。
【図２】本考案の第１実施例による樹脂製ハシゴのハシゴ枠を示す正面図である。
【図３】本考案の第１実施例による樹脂製ハシゴのハシゴ枠を示す背面図である。
【図４】本考案の第１実施例による樹脂製ハシゴのハシゴ枠を示す斜視図である。
【図５】図３をＡ−Ａ線で切断した断面図である。
【図６】図３をＢ−Ｂ線で切断した断面図である。
【図７ａ】本考案の第２実施例による樹脂製ハシゴのハシゴ枠とヒンジとの連結関係を示す概略図である。
【図７ｂ】本考案の第２実施例による樹脂製ハシゴの折畳んだ状態を示す概略図である。
【図７ｃ】本考案の第２実施例による樹脂製ハシゴの展開した状態を示す概略図である。
【図８】本考案の第２実施例による樹脂製ハシゴのハシゴ枠または支持端の構造を示す斜視図である。
【図９】本考案の第３実施例による樹脂製ハシゴの支持端の構造を示す斜視図である。
【図１０】本考案の第４実施例による樹脂製ハシゴの二つのハシゴ枠の頂端の連接関係を示す斜視図である。
【図１１】本考案の第５実施例による樹脂製ハシゴのパネルと二つのハシゴ枠との連接関係を示す斜視図である。
【図１２】本考案の第６実施例による樹脂製ハシゴのパネルと二つのハシゴ枠との連接関係を示す斜視図である。
【図１３】従来のハシゴを展開した状態を示す斜視図である。
【符号の説明】
【００２０】
２：ハシゴ枠、４：ヒンジ、２１：長手部、２２：水平部、２３：背面、２４：前面、２５：側壁、２６：滑止面、２７：底面、２８：コーナー、４１：斜めリブ、４２：床面接触部、４３：底スリーブ、７３：球状関節、７５：補強具、８３：ヒンジ、８４：連結部、２１１：頂端、２１２：支持端、２３１：窪み部、２３２：横リブ、２３３：縦リブ、２３４：セクション、２３５：連接具、６１３：軸連接部、６１４：短いロッド
【図１】
0003136052.tif 000003
【図２】
0003136052.tif 000004
【図３】
0003136052.tif 000005
【図４】
0003136052.tif 000006
【図５】
0003136052.tif 000007
【図６】
0003136052.tif 000008
【図７ａ】
0003136052.tif 000009
【図７ｂ】
0003136052.tif 000010
【図７ｃ】
0003136052.tif 000011
【図８】
0003136052.tif 000012
【図９】
0003136052.tif 000013
【図１０】
0003136052.tif 000014
【図１１】
0003136052.tif 000015
【図１２】
0003136052.tif 000016
【図１３】
0003136052.tif 000017
【手続補正書】
【提出日】平成19年7月30日(2007.7.30)
【手続補正１】
【補正対象書類名】実用新案登録請求の範囲
【補正対象項目名】全文
【補正方法】変更
【補正の内容】
【実用新案登録請求の範囲】
【請求項１】
加圧成形により二つの長手部と二つの前記長手部の間に成形されている多数の水平部とを有するハシゴ枠を含み、
前記ハシゴ枠は正面が閉塞状態であり、背面に窪み部が形成され、二つの前記長手部の両側には側壁が設けられており、二つの前記長手部は一端が頂端であり、他端が床面または支持物に押し付ける支持端であり、各前記水平部はユーザの足踏みに供される面であり、前記側壁は斜面に形成されていることを特徴とする樹脂製ハシゴ。
【請求項２】
前記ハシゴ枠を二つ有し、二つのハシゴ枠は対向しており、ハシゴ枠の頂端の対向面の間には二つのハシゴ枠を連結し開閉するための部材が設けられていることを特徴とする請求項１に記載の樹脂製ハシゴ。
【請求項３】
前記窪み部は多数の横リブと縦リブにより仕切られた複数のセクションであることを特徴とする請求項１または２に記載の樹脂製ハシゴ。
【請求項４】
前記窪み部には構造を補強できる部材を追加できることを特徴とする請求項１または２に記載の樹脂製ハシゴ。
【請求項５】
前記各水平部のユーザの足踏みに供される面は滑止機能を有する滑止面であり、前記滑止面は斜面に形成されていることを特徴とする請求項１または２に記載の樹脂製ハシゴ。
【請求項６】
前記各支持端には床面と接触する部材を有することを特徴とする請求項２に記載の樹脂製ハシゴ。